(57)【特許請求の範囲】
【請求項１】
複数の突出磁極(10)を有する輪状ステータ(11)と、前記輪状ステータ(11)に一体又は別体で設けられ端子保持部(14)を一部に有する輪状絶縁カバー(12)と、前記端子保持部(14)に設けられＬ字型の段部(15c)を有する板状の段付端子ピン(15)と、前記段付端子ピン(15)に形成され前記突出磁極(10)に巻回されたステータ巻線(13)の端線(13a)をからげるための一端部(15a)と、前記段付端子ピン(15)に形成されリード線(16)を接続するための他端部(15b)と、を備え、
前記他端部(15b)の外端(15bA)に曲折して形成されＬ字型をなす曲折起し部(40)と、前記曲折起し部(40)に形成され半円形をなす孔(41)と、を有し、前記端子保持部(14)の貫通孔(14A)又は溝に挿入されて保持された前記リード線(16)の先端の芯線(16b)は前記孔(41)に挿入され、固定手段(20)により固定されているレゾルバステータの端子ピンへのリード線固定構造において、前記一端部(15a)は他端部(15b)よりも板幅(W1)が小であり、
前記端子保持部(14)の一端面(14a)から外方へ突出した前記他端部(15b)の直線部(15bB)には、前記芯線(16b)が前記直線部(15bB)に沿った状態で位置し、前記一端部(15a)と他端部(15b)は前記段部(15c)を介して互いに平行であり、前記芯線(16b)は、前記一端面(14a)からのみ外部に突出していることを特徴とするレゾルバステータの端子ピンへのリード線固定構造。
【請求項２】
複数の突出磁極(10)を有する輪状ステータ(11)と、前記輪状ステータ(11)に一体又は別体で設けられ端子保持部(14)を一部に有する輪状絶縁カバー(12)と、前記端子保持部(14)に設けられＬ字型の段部(15c)を有する板状の段付端子ピン(15)と、前記段付端子ピン(15)に形成され前記突出磁極(10)に巻回されたステータ巻線(13)の端線(13a)をからげるための一端部(15a)と、前記段付端子ピン(15)に形成されリード線(16)を接続するための他端部(15b)と、を備え、
前記他端部(15b)の外端(15bA)に曲折して形成されＬ字型をなす曲折起し部(40)と、前記曲折起し部(40)に形成され半円形をなす孔(41)と、を有し、前記端子保持部(14)の貫通孔(14A)又は溝に挿入されて保持された前記リード線(16)の先端の芯線(16b)は前記孔(41)に挿入され、固定手段(20)により固定されているレゾルバステータの端子ピンへのリード線固定方法において、前記一端部(15a)は他端部(15b)よりも板幅(W1)が小であり、
前記端子保持部(14)の一端面(14a)から外方へ突出した前記他端部(15b)の直線部(15bB)には、前記芯線(16b)が前記直線部(15bB)に沿った状態で位置し、前記一端部(15a)と他端部(15b)は前記段部(15c)を介して互いに平行であり、前記芯線(16b)は、前記一端面(14a)からのみ外部に突出していることを特徴とするレゾルバステータの端子ピンへのリード線固定方法。
【発明の詳細な説明】
【技術分野】
【０００１】
本発明は、レゾルバステータの端子ピンへのリード線固定構造及び方法に関し、特に、端子ピンの他端部に形成された曲折起し部の孔にリード線の芯線を挿入することにより、芯線の浮きを防止するための新規な改良に関する。
【背景技術】
【０００２】
従来、用いられていたこの種の端子ピンへの部品のリード線を接続する構造としては、特許文献１の構成および社内製作品の構造を挙げることができる。
すなわち、図９及び図１０に開示された第１の従来構成は、特許文献１で開示された構成であり、図９のプリント基板１の台部２に植設された一対の端子１５，１５は逆ハの字状に曲折している。
【０００３】
前述の各端子１５，１５の先端には、一方が丸孔５で他方が凹部６が形成され、前記各端子１５，１５間に設けられる電気部品７の第１リード線１６が前記丸孔５に貫通して設けられ、第２リード線１５Ａが前記凹部６に係合して設けられている。
【０００４】
前記電気部品７の第１リード線７ａと第１端子３は、丸孔５の位置で半田接続され、第２リード線７ｂと第２端子４は、凹部６の位置で半田接続されている。
【０００５】
また、図５から図８に開示された第２の従来構成は、社内製作されていた従来製品であり、内方へ向けて突出する複数の突出磁極１０を有する輪状ステータ１１の両端面には、一体又は別体で形成された輪状絶縁カバー１２が設けられている。
前記各突出磁極１０には、前記輪状絶縁カバー１２を介してステータ巻線１３が巻回されている。
【０００６】
前記輪状絶縁カバー１２の周縁の一部に半径方向に突出して形成された端子保持部１４には、軸方向Ａに沿って貫通する段付端子ピン１５が一体成形によって設けられており、この段付端子ピン１５にはリード線１６が接続されるように構成されている。
【０００７】
前記段付端子ピン１５は、図６から図８で示されるように構成されている。
すなわち、前記段付端子ピン１５は、その一端部１５ａに前記ステータ巻線１３の端線１３ａがからげて接続され、この端線１３ａと一端部１５ａとが球状の溶接部１７を介して接続されている。
【０００８】
前記一端部１５ａに対して反対側に位置する他端部１５ｂ側には、Ｌ字型の段部１５ｃが形成され、この一端部４５ａと他端部１５ｂとは、この段部１５ｃを介して互いに平行でかつ水平方向に延設されている。
【０００９】
従って、図５の構成において、端子保持部１４の切欠（図示せず）を介して前記他端部１５ｂ側へ延設されたリード線１６のリード線端部１６ａの露出された芯線１６ｂ（リード線端部１６ａ側は図示せず）は、半田又は溶接による固定部２０を介して他端部１５ｂに接続されている（図７に示す）。
【先行技術文献】
【特許文献】
【００１０】
【特許文献１】特開２００６−３２４１５５号公報
【発明の概要】
【発明が解決しようとする課題】
【００１１】
従来の端子ピンとリード線との接続構造は、以上のように構成されていたため、次のような課題が存在していた。
すなわち、図９、図１０で示される特許文献１の構成の場合、電気部品のリード線が端子ピンの丸孔又は凹部を貫通した状態で半田付けされるため、端子ピンとリード線の芯線の位置決めが難しく、半田等の落下も多くなっていた。
【００１２】
また、図５から図８で示される従来構成の場合、端子保持部にリード線の被覆部を保持し、芯線を他端部側に突出させて半田等で固定するため、図７において半田付け又は溶接の前では、この芯線が直線で水平状の形状からなる他端部から浮いて離れやすくなり、この芯線を他端部に半田等で固定することが極めて困難であった。
【課題を解決するための手段】
【００１３】
本発明によるレゾルバステータの端子ピンへのリード線固定構造は、複数の突出磁極を有する輪状ステータと、前記輪状ステータに一体又は別体で設けられ端子保持部を一部に有する輪状絶縁カバーと、前記端子保持部に設けられＬ字型の段部を有する板状の段付端子ピンと、前記段付端子ピンに形成され前記突出磁極に巻回されたステータ巻線の端線をからげるための一端部と、前記段付端子ピンに形成されリード線を接続するための他端部と、を備え、前記他端部の外端に曲折して形成されＬ字型をなす曲折起し部と、前記曲折起し部に形成され半円形をなす孔と、を有し、前記端子保持部の貫通孔又は溝に挿入されて保持された前記リード線の先端の芯線は前記孔に挿入され、固定手段により固定されているレゾルバステータの端子ピンへのリード線固定構造において、前記一端部は他端部よりも板幅が小であり、前記端子保持部の一端面から外方へ突出した前記他端部の直線部には、前記芯線が前記直線部に沿った状態で位置し、前記一端部と他端部は前記段部を介して互いに平行であり、前記芯線は、前記一端面からのみ外部に突出している構造であり、また、複数の突出磁極を有する輪状ステータと、前記輪状ステータに一体又は別体で設けられ端子保持部を一部に有する輪状絶縁カバーと、前記端子保持部に設けられＬ字型の段部を有する板状の段付端子ピンと、前記段付端子ピンに形成され前記突出磁極に巻回されたステータ巻線の端線をからげるための一端部と、前記段付端子ピンに形成されリード線を接続するための他端部と、を備え、前記他端部の外端に曲折して形成されＬ字型をなす曲折起し部と、前記曲折起し部に形成され半円形をなす孔と、を有し、前記端子保持部の貫通孔又は溝に挿入されて保持された前記リード線の先端の芯線は前記孔に挿入され、固定手段により固定されているレゾルバステータの端子ピンへのリード線固定方法において、前記一端部は前記他端部よりも板幅が小であり、前記端子保持部の一端面から外方へ突出した前記他端部の直線部には、前記芯線が前記直線部に沿った状態で位置し、前記一端部と他端部は前記段部を介して互いに平行であり、前記芯線は、前記一端面からのみ外部に突出している方法である。
【発明の効果】
【００１４】
本発明によるレゾルバステータの端子ピンへのリード線固定構造及び方法は、以上のように構成されているため、次のような効果を得ることができる。
すなわち、複数の突出磁極を有する輪状ステータと、前記輪状ステータに一体又は別体で設けられ端子保持部を一部に有する輪状絶縁カバーと、前記端子保持部に設けられ段部を有する段付端子ピンと、前記段付端子ピンに形成され前記突出磁極に巻回されたステータ巻線の端線をからげるための一端部と、前記段付端子ピンに形成されリード線を接続するための他端部と、よりなるレゾルバステータの端子ピンへのリード線固定構造において、前記他端部の外端に曲折して形成されＬ字型をなす曲折起し部と、前記曲折起し部に形成された孔と、を有し、前記リード線の先端の芯線は前記孔に挿入され、固定手段により固定されていることにより、リード線の芯線が曲折起し部の孔に挿入された後に半田又は溶接等で固定されるため、芯線の浮きや離れがなく、段付端子ピンへの接続固定が極めて容易かつ確実となる。
また、前記端子保持部の一端面から外方へ突出した前記他端部の直線部には、前記芯線が前記直線部に沿った状態で位置していることにより、芯線の固定処理が容易となる。
また、前記孔は、半円形よりなることにより、芯線を孔内に挿入した時の係止が確実となり、芯線の固定作業が容易となる。
【図面の簡単な説明】
【００１５】
【図１】本発明によるレゾルバステータの端子ピンへのリード線固定構造を示す断面図である。
【図２】図１の段付端子ピンの拡大平面図である。
【図３】図２の底面図である。
【図４】図３の右側面図である。
【図５】従来のレゾルバステータの端子ピンへのリード線固定構造を示す断面図である。
【図６】図５の段付端子ピンの平面図である。
【図７】図６の低面図である。
【図８】図７の右測面図である。
【図９】従来のリード線と端子ピンの接続構造を示す断面図である。
【図１０】図９の端子ピンを示す斜視図である。
【発明を実施するための形態】
【００１６】
本発明は、端子ピンの他端部に形成された曲折起し部の孔にリード線の芯線を挿入することにより、芯線の浮きを防止するようにしたレゾルバステータの端子ピンへのリード線固定構造及び方法を提供することを目的とする。
【実施例】
【００１７】
以下、図面と共に本発明によるレゾルバステータの端子ピンへのリード線固定構造及び方法の好適な実施の形態について説明する。
尚、従来例と同一又は同等部分については同一符号を用いて説明する。
図１から図４において、内方へ向けて突出する複数の突出磁極１０を有する輪状ステータ１１の両端面には、一体又は別体で形成された輪状絶縁カバー１２が設けられている。
前記各突出磁極１０には、前記輪状絶縁カバー１２を介してステータ巻線１３が巻回されている。
【００１８】
前記輪状絶縁カバー１２の周縁の一部に突出して形成された端子保持部１４には、軸方向Ａに沿って貫通する板状の段付端子ピン１５が一体成形によって設けられており、この段付端子ピン１５にはリード線１６が接続されるように構成されている。
【００１９】
前記段付端子ピン１５は、図２から図４で示されるように構成されている。
すなわち、前記段付端子ピン１５は、その一端部１５ａに前記ステータ巻線１３の端線１３ａがからげて接続され、この端線１３ａと一端部１５ａとが球状の溶接部１７を介して接続されている。
【００２０】
前記一端部１５ａとは反対側の他端部１５ｂ側には、Ｌ字型の段部１５ｃが形成され、この一端部１５ａと他端部１５ｂとは、この段部１５ｃを介して互いに平行でかつ水平方向に延設されている。尚、前記一端部１５ａは前記他端部１５ｂよりも板幅Ｗ１が、図２で示されるように、小である。
さらに、前記他端部１５ｂの外端１５ｂＡには、前記段部１５ｃよりも高くなるように曲折した曲折起し部４０が上方へ向けて形成され、この曲折起し部４０には図４で示されるように半円形の孔４１が形成されている。
【００２１】
前記リード線１６の端部は、前記端子保持部１４に形成された貫通孔１４Ａ又は溝（図示せず）に挿入されて保持され、このリード線１６の被覆を除去した芯線１６ｂがこの貫通孔又は溝から端子保持部１４の一端面１４ａからのみ外方に突出し、図１及び図３で示されるように、この芯線１６ｂの先端が前記孔４１内に挿入され、この孔４１の形状（半月形）によってこの芯線１６ｂが孔４１と係合し、抜けにくい状態で保持されている。
【００２２】
前記他端部１５ｂの直線部１５ｂＢには、図３のように、前記芯線１６ｂが前記直線部１５ｂＢに沿った状態で位置しており、この状態下で孔４１に挿入された芯線１６ｂをこの孔４１の位置で半田又は溶接等の固定手段２０によって固定することにより、芯線１６ｂと曲折起し部４０（すなわち、段付端子ピン１５）とは強固に電気機械的に接続される。
【産業上の利用可能性】
【００２３】
本発明によるレゾルバステータの端子ピンへのリード線固定構造は、レゾルバステータに限ることなく、モータ等の各種回転機に適用することができる。
【符号の説明】
【００２４】
１０    突出磁極
１１    輪状ステータ
１２    輪状絶縁カバー
１３    ステータ巻線
１３ａ    端線
１４    端子保持部
１５    段付端子ピン
１５ａ    一端部
１５ｂ    他端部
１５ｂＡ    外端
１５ｂＢ    直線部
１５ｃ    段部
１６    リード線
１６ｂ    芯線
２０    固定手段（半田又は溶接）
４０    曲折起し部
【図１】
0005648154.tif 000002
【図２】
0005648154.tif 000003
【図３】
0005648154.tif 000004
【図４】
0005648154.tif 000005
【図５】
0005648154.tif 000006
【図６】
0005648154.tif 000007
【図７】
0005648154.tif 000008
【図８】
0005648154.tif 000009
【図９】
0005648154.tif 000010
【図１０】
0005648154.tif 000011